(57)【特許請求の範囲】
【請求項１】
液を凍結させる真空凍結装置と、前記凍結させた凍結物を昇華及び乾燥させる乾燥装置とを有する真空凍結乾燥装置であって、
前記真空凍結装置及び前記乾燥装置の内部を減圧雰囲気にするために真空吸引を行う排気経路を有し、
前記乾燥装置は、
入口部と出口部とを備え、筒形状を有する一つの筒状部と、
前記筒状部の周辺部の前記入口部から前記出口部に向かって形成される温度の制御が可能な少なくとも３か所以上の複数の領域に設けられ、前記筒状部の外面の前記複数の領域の温度をそれぞれ調温する調温手段と、
前記調温手段により前記複数の領域をそれぞれ独立して温度制御する温度制御部と、
前記筒状部を回転させるための回転部と、を備え、
前記筒状部は、前記筒状部の内壁に前記入口部から前記出口部に向かって連続的に設けられる螺旋状の移送手段を有し、
前記真空凍結装置と、前記乾燥装置とを連結する連結部を備え、
前記連結部は、前記真空凍結装置側の第１管部と、前記回転する筒状部を有する乾燥装置側の第２管部と、前記第１管部と前記第２管部間をシールするシール部と、を有し、
前記筒状部は、複数の筒部と、前記複数の筒部を繋ぐ繋ぎ部と、を有し、
前記調温手段は、前記各温度領域に設けられ、第１壁部と、第２壁部と、前記第１壁部と前記第２壁部に囲まれた空間を前記領域として覆うカバーと、前記領域内にガスを供給する手段と、を有し、
前記複数の筒部と前記繋ぎ部を有する前記筒状部の少なくとも一部を囲むよう前記カバーで覆われており、
前記真空凍結装置及び前記乾燥装置内部の減圧雰囲気のもと、前記回転部が前記筒状部を回転させることによって、前記移送手段は、前記真空凍結装置から入る前記凍結物を、前記筒状部内の前記複数の領域に対応する箇所を前記移送手段によって順次移送しながら前記凍結物を連続的に昇華及び乾燥させる、乾燥装置。
【請求項２】
前記３か所以上の複数の領域は、前記入口部から出口部に向かってそれぞれマイナス温度領域と、前記マイナス温度からプラス４０℃の範囲の温度領域と、プラス２０℃以上の温度領域を少なくとも有する、請求項１に記載の乾燥装置。
【請求項３】
該物質は、注射剤又は固形剤の医薬品であって、筒状部の周辺をクリーンエアーで覆っている、請求項１又は請求項２に記載の乾燥装置。
【請求項４】
前記回転部は、軸方向に１か所ないしは複数設けられた、回転駆動を伝達する回転駆動伝達部と、
回転ローラー又は／及びベアリングによって構成され、前記回転駆動伝達部による回転を支持する回転支持部と、を有する、請求項１から請求項３のいずれか１項に記載の乾燥装置。
【請求項５】
前記回転部は、回転速度が毎分１／３０回転以上１回転以下である、請求項１から請求項４のいずれか１項に記載の乾燥装置。
【請求項６】
前記移送手段は、前記筒状部の内壁に螺旋状の壁部を設けることにより形成されている、請求項１から請求項５のいずれか１項に記載の乾燥装置。
【請求項７】
前記移送手段は、前記筒状部の内壁に形成された溝部により構成され、
前記溝部の深さが３ｍｍ以上５０ｍｍ以下である、請求項１から請求項６のいずれか１項に記載の乾燥装置。
【請求項８】
前記筒状部は、接触式又は非接触式の温度検出部を備え、
前記温度制御部は、前記温度検出部が前記筒状部の表面温度又は前記筒状部の内部の物質の検出温度に応じて前記調温手段の温度を制御する、請求項１から請求項７のいずれか１に記載の乾燥装置。
【請求項９】
前記筒状部の外部に設けられ、前記筒状部内の物質の水分量を透明体の窓部を通して検出する水分検出部を備え、
前記温度制御部は、前記水分検出部による前記筒状部内の物質の水分量に応じて前記調温手段の温度を制御する、請求項１から請求項８のいずれか１項に記載の乾燥装置。
【請求項１０】
前記筒状部は、材質がステンレスである、請求項１から請求項９のいずれか１項に記載の乾燥装置。
【請求項１１】
真空凍結乾燥方法であって、
液を凍結させる真空凍結ステップと、
前記凍結させた凍結物を昇華及び乾燥させる乾燥ステップと、
前記真空凍結装置及び前記乾燥装置の内部を減圧雰囲気にするために排気経路を通じて真空吸引を行うステップと、を含み、
前記真空凍結装置と、前記乾燥装置とを連結する連結部を備え、
前記連結部は、前記真空凍結装置側の第１管部と、前記乾燥装置側の第２管部と、前記第１管部と前記第２管部間をシールするシール部と、を有し、
前記筒状部は、複数の筒部と、前記複数の筒部を繋ぐ繋ぎ部と、を有し、
前記調温手段は、前記各温度領域に設けられ、第１壁部と、第２壁部と、前記第１壁部と第２壁部に囲まれた空間を前記領域として覆うカバーと、前記領域内にガスを供給する手段と、を有し、
前記複数の筒部と前記繋ぎ部を有する前記筒状部の少なくとも一部を囲むよう前記カバーで覆われており、
前記乾燥ステップは、
入口部と出口部とを備え、筒形状を有する一つの筒状部であって、前記筒状部の内壁に前記入口部から前記出口部に向かって連続的に設けられる螺旋状の移送手段を有する筒状部を回転させるステップと、
前記一の筒状部の周辺部の前記入口部から前記出口部に向かって形成される温度の制御が可能な少なくとも３か所以上の複数の領域の温度をそれぞれ調温するステップと、
前記真空凍結装置及び前記乾燥装置内部の減圧雰囲気のもと、前記回転部が前記筒状部を回転させることによって、前記真空凍結装置から入る前記凍結物を、前記筒状部内の前記複数の領域に対応する箇所を前記移送手段によって順次移送しながら前記凍結物を連続的に昇華及び乾燥させるステップと、を含む真空凍結乾燥方法。
【発明の詳細な説明】
【技術分野】
【０００１】
本発明は、真空凍結乾燥装置及び真空凍結乾燥方法に関する。
【背景技術】
【０００２】
従来から、液滴を生成し、その液滴を凍結凝固させて凍結粒子を凍結乾燥する凍結乾燥装置が提案されている（特許文献１）。
【０００３】
また、凍結乾燥装置において、凍結した原料を受け取る棚を傾斜させるようにしたものも提案されている（特許文献２）。
【０００４】
また、真空凍結乾燥装置において、噴霧時に得た運動エネルギーによって、凍結粒子を昇華乾燥させるものが提案されている（特許文献３）。
【先行技術文献】
【特許文献】
【０００５】
【特許文献１】国際公開ＷＯ２０１３／０５０１６２号公報
【特許文献２】国際公開ＷＯ２０１０／００５０２１号公報
【特許文献３】国際公開ＷＯ２０１９／２３５０３６号公報
【発明の概要】
【発明が解決しようとする課題】
【０００６】
しかしながら、上記文献では、短時間で真空凍結乾燥を連続的に行うことができないという問題がある。
【０００７】
そこで、本発明は以上の課題に鑑みてなされたものであり、短時間で真空凍結乾燥を連続的に行うことができる真空凍結乾燥装置及び真空凍結乾燥方法を提供する。
【課題を解決するための手段】
【０００８】
上記課題を解決するために、（１）本発明は、液を凍結させる真空凍結装置と、前記凍結させた凍結物を昇華及び乾燥させる乾燥装置とを有する真空凍結乾燥装置であって、真空吸引を行う排気経路を有し、前記乾燥装置は、入口部と出口部とを備え、筒形状を有する筒状部と、前記筒状部の周辺部の前記入口部から前記出口部に向かって形成される温度の制御が可能な少なくとも３か所以上の複数の領域に設けられ、前記筒状部の外面の前記複数の領域の温度を調温する調温手段と、前記調温手段を独立して温度制御する温度制御部と、前記筒状部を回転させるための回転部と、を備え、前記筒状部は、前記筒状部の内壁近傍に前記入口部から前記出口部に向かって連続的に設けられる螺旋状の移送手段を有し、前記移送手段は、前記入口部から入る前記凍結物を、前記筒状部内の前記複数の領域に対応する箇所を前記移送手段によって順次移送しながら前記凍結物を連続的に昇華及び乾燥させる。
【０００９】
（２）上記（１）の構成において、前記３か所以上の複数の領域は、前記入口部から出口部に向かってそれぞれマイナス温度領域と、前記マイナス温度からプラス４０℃の範囲の温度領域と、プラス２０℃以上の温度領域を少なくとも有する。
【００１０】
（３）上記（１）又は（２）の構成において、該物質は、注射剤又は固形剤の医薬品であって、筒状部の周辺をクリーンエアーで覆っている。
【００１１】
（４）上記（１）〜（３）の構成において、前記回転部は、軸方向に１か所ないしは複数設けられた、回転駆動を伝達する回転駆動伝達部と、回転ローラー又は／及びベアリングによって構成され、前記回転駆動伝達部による回転を支持する回転支持部と、を有する。
【００１２】
（５）上記（１）〜（４）のいずれかの構成において、前記回転部は、回転速度が毎分１／３０回転以上１回転以下である。
【００１３】
（６）上記（１）〜（５）の構成において、前記移送手段は、前記筒状部の内壁に螺旋状の壁部を設けることにより形成されている。
【００１４】
（７）上記（１）〜（６）の構成において、前記移送手段は、前記筒状部の内壁に形成された溝部により構成され、前記溝部の深さが３ｍｍ以上５０ｍｍ以下である。
【００１５】
（８）上記（１）〜（７）の構成において、前記調温手段は、前記筒状部の周囲の空間の温度を温調することにより前記筒状部の各領域をそれぞれ調温する。
【００１６】
（９）上記（１）〜（８）の構成において、前記筒状部は、接触式又は非接触式の温度検出部を備え、前記温度制御部は、前記温度検出部が前記筒状部の表面温度又は前記筒状部の内部の物質の検出温度に応じて前記調温手段の温度を制御する。
【００１７】
（１０）上記（１）〜（９）の構成において、前記筒状部の外部に設けられ、前記筒状部内の物質の水分量を透明体のガラス又は樹脂の窓部を通して検出する水分検出部を備え、前記温度制御部は、前記水分検出部による前記筒状部内の物質の水分量に応じて前記調温手段の温度を制御する。
【００１８】
（１１）上記（１）〜（１０）の構成において、前記筒状部は、材質がステンレスである。
【００１９】
（１２）本発明は、真空凍結乾燥方法であって、液を凍結させる真空凍結ステップと、
前記凍結させた凍結物を昇華及び乾燥させる乾燥ステップと、排気経路を通じて真空吸引を行うステップと、を含み、前記乾燥ステップは、入口部と出口部とを備え、筒形状を有する筒状部であって、前記筒状部の内壁近傍に前記入口部から前記出口部に向かって連続的に設けられる螺旋状の移送手段を有する筒状部を回転させるステップと、前記筒状部の周辺部の前記入口部から前記出口部に向かって形成される温度の制御が可能な少なくとも３か所以上の複数の領域の温度を調温するステップと、前記入口部から入る前記凍結物を、前記筒状部内の前記複数の領域に対応する箇所を前記移送手段によって順次移送しながら前記凍結物を連続的に昇華及び乾燥させるステップと、を含む。
【発明の効果】
【００２０】
本発明によれば、短時間で真空凍結乾燥を連続的に行うことができる真空凍結乾燥装置及び真空凍結乾燥方法を提供することができる。
【図面の簡単な説明】
【００２１】
【図１】本発明の実施形態に係る真空凍結乾燥装置の説明図である。
【図２】図１の真空凍結乾燥装置において、乾燥装置、連結部及び捕集部を断面図で示したものである。
【図３】本発明の実施形態の真空凍結乾燥装置の乾燥装置の正面図である。
【図４】本発明の実施形態の真空凍結乾燥装置の乾燥装置の平面図である。
【図５】（Ａ）は乾燥装置の左側面図、（Ｂ）は乾燥装置の右側面図である。
【図６】図１のＡ−Ａ断面図である。
【図７】筒状部３１を構成する複数の筒部３１Ａ〜３１Ｆのうち筒部３１Ｂを示している。
【図８】筒部３１Ｂの半体３１ＢＸを示す図である。
【図９】検出部が内部の物質の温度又は物質の水分量を検出する様子を示している。
【図１０】実施形態に係る真空凍結乾燥装置の連結部の断面図である。
【図１１】図７の筒部３１Ｂの半体３１ＢＸの他の例を示す図である。
【発明を実施するための形態】
【００２２】
次に、本発明の実施形態に係る真空凍結乾燥装置について説明する。また、同一の部材または同一の機能を有する部材には同一の符号を付し、その部材を説明した後には適宜説明を省略する場合がある。
【００２３】
図１は、本発明の実施形態に係る真空凍結乾燥装置の説明図である。図２は、図１の真空凍結乾燥装置において、乾燥装置、連結部及び捕集部を断面図で示したものである。
図１に示すように、真空凍結乾燥装置１は、真空凍結装置２と、乾燥装置３と、連結部４と、捕集部５とを有する。
真空凍結乾燥装置１が取り扱う物質は、注射剤又は固形剤の医薬品である。
【００２４】
真空凍結装置２は、例えば、原料を含む原料液を真空容器内に噴射ノズル２１から噴霧し、噴霧された原料液が凍結して凍結物を生成する。また、真空凍結装置は、原料液をノズルから真空容器内に滴下するものでも良く、滴下された液滴が凍結して凍結物を生成することができる。噴霧又は滴下された原料液は落下する途中において水分が蒸発して蒸発潜熱が奪われることにより自己凍結し、微小の凍結粒子である凍結物となる。凍結物は、開口が小さくなっているテーパー形状を有する収集部２２に向けて落下し、収集部２２によって集められる。
【００２５】
連結部４は、真空凍結装置２と乾燥装置３とを連結するものであり、真空凍結装置２で生成した凍結物を乾燥装置３に搬送するためのものである。
乾燥装置３は、凍結させた凍結物を連続的に昇華及び乾燥させるものである。捕集部５は、乾燥装置３で昇華乾燥することにより形成された乾燥物が筒状部３１の出口部３１ｃから放出されるため、これを捕集する。
【００２６】
真空凍結乾燥装置１には、真空吸引を行う排気経路が設けられており、排気経路は、本実施形態では連結部４に設けられている。排気経路は、真空凍結装置２、乾燥装置３及び連結部４のいずれに設けられていてもよい。排気経路を設けることによって、内部は減圧雰囲気に維持され、液体が存在しにくく、固体または気体が存在する環境になっている。
筒状部３と捕集部５は、周辺がクリーンエアー６によって覆われている。筒状部３の分解可能な接続部分の周辺外部表面部をすべてクリーンエアー６で覆い、リークに対してクリーンエアーが入る構造を有する。
【００２７】
図３は、本発明の実施形態の真空凍結乾燥装置の乾燥装置の正面図である。図４は、本発明の実施形態の真空凍結乾燥装置の乾燥装置の平面図である。図５（Ａ）は乾燥装置の左側面図、（Ｂ）は乾燥装置の右側面図である。図６は、図１のＡ−Ａ断面図である。
【００２８】
図１〜図６に示すように、乾燥装置３は、筒状部３１と、調温手段３０ａ〜３０ｊと、回転部７と、温度制御部８と、を備える。
筒状部３１は、水平方向に直線状に延びる筒形状を有しており、開口を有し、凍結物が入る入口部３１ｂと、昇華及び乾燥した乾燥物の出口となる出口部３１ｃとを備えている（図２参照）。
【００２９】
筒状部３１内には、筒状部３１の内壁近傍に入口部３１ｂから出口部３１ｃに向かって連続的に設けられる螺旋状の移送手段３１ａが設けられている。連結部４から搬送されてきた凍結物は、筒状部３１の入口部３１ｂから入り、螺旋状の移送手段３１ａによって出口部３１ｃまで移送され、その間で、凍結物は連続的に昇華及び乾燥が行われる。
【００３０】
調温手段３０ａ〜３０ｊは、筒状部３１の外側の周辺部に設けられており、筒状部３１の外面の複数の領域４０ａ〜４０ｊの温度を調温する。
【００３１】
複数領域４０ａ〜４０ｊは、筒状部３１の入口部３１ｂから出口部３１ｃに向かって設けられており、それぞれが独立して温度の制御が可能である。調温手段３０ａ〜３０ｊは、複数の領域４０ａ〜４０ｊ内を調温することで、複数の領域４０ａ〜４０ｊに対応する筒状部３１内の箇所の温度を調整する。
ここで、調温手段３０ａ〜３０ｊは、１０個設けられており、調温手段３０ａ〜３０ｊによって形成される複数の領域も、１０個設けられている。複数の領域４０ａ〜４０ｊは、少なくとも３か所以上の領域を有することが好ましい。なお、複数の調温手段をまとめて調温手段ということもあり、各調温手段をそれぞれ調温手段ということもある。
【００３２】
回転部７は、旋回軸を中心に、筒状部３１を回転させるものである。回転部７によって筒状部３１が回転すると、筒状部３１の入口部３１ｂから入ってくる凍結物が螺旋状の移送手段３１ａを通って、筒状部３１内を出口部３１ｃに向かって順次、移送される。その間で、凍結物は連続的に昇華及び乾燥が行われる。回転部７は、筒状部３１だけを回転させるように構成されており、筒状部３１の外側の調温手段３０ａ〜３０ｊは回転しないように構成されている。調温手段３０ａ〜３０ｊは、回転しないように固定されている。
温度制御部８は、情報を入出力する機能を有し、筒状部３１の外面に形成された複数の領域４０ａ〜４０ｊの温度を調温する調温手段３０ａ〜３０ｊを独立して温度制御する。
【００３３】
次に調温手段３０ａ〜３０ｉについて説明する。
図１及び図２に示すように、調温手段３０ａ〜３０ｉは、筒状部３１の周囲の外側の空間をそれぞれ独立して温調することができ、筒状部３１の内部の各空間をそれぞれ調温することができる。
調温手段３０ａは、領域４０ａの空間を調温し、領域４０ａに対応する筒状部３１の内部の空間を調温する。また、調温手段３０ｂは、領域４０ｂの空間を調温し、領域４０ｂに対応する筒状部３１の内部の空間を調温する。調温手段３０ｃは、領域４０ｃの空間を調温し、領域４０ｃに対応する筒状部３１の内部の空間を調温する。同様にして、調温手段３０ｄ〜３０ｉは、領域４０ｄ〜４０ｉの空間を調温し、領域４０ｄ〜４０ｉに対応する筒状部３１の内部の空間を調温する。
筒状部３１の入口部３１ｂから入ってきた凍結物は、筒状部３１内のそれぞれ調温手段３０ａ〜３０ｉによって温度調整された空間を進んで行くことにより、連続的に昇華及び乾燥が行われる。
【００３４】
次に、図３〜図６を用いて、各調温手段３０ａ〜３０ｉの一例について具体的に説明する。調温手段３０ｂを例に取って説明するが、他の調温手段も同様の構成である。調温手段３０ｂは、それぞれ、筒状部３１の入口部３１ｂ側の壁部３２と、出口部３１ｃ側の壁部３３と、筒状部３１を囲むように、壁部３２、３３に囲まれた空間を覆うカバー３４と、壁部３２、３３にそれぞれガスを供給するダクト３５ａ、３５ｂとを有する。壁部３２、３３は、ともに円形の形状を有する。カバー３４は、内部が目視できるように透明の樹脂などの部材で形成されており、壁部３２と壁部３３とで囲まれた空間を覆うものである。壁部３２と壁部３３には、ダクト３５ａ、３５ｂが繋がっており、ダクト３５ａ、３５ｂからガスを供給することができる。供給されたガスによって領域４０ａ〜４０ｉ内が目的の温度に調温される。
【００３５】
ダクト３５ａ、３５ｂには、不図示の送風手段が接続されており、温度管理されたガスが供給される。壁部３２と壁部３３とカバー３４で覆われた領域４０ａ〜４０ｊ内に、ダクト３５ａ、３５ｂからガスが供給されることにより、複数の領域４０ａ〜４０ｊ内の温度が独立して制御される。ガスとしては、例えば空気を供給することができるが、空気には限定されない。
なお、調温手段３０ａ〜３０ｉとして、ガスを利用する場合を例にとって説明したが、これに限定されることなく、電気ヒータ、冷媒等を用いることもできる。
【００３６】
壁部３２、３３の内側は、筒状部３１の外形に合せて円形の開口を有している。壁部３２、３３の内側の開口は、筒状部３１の外周に近接していることが好ましい。
【００３７】
次に、複数領域４０ａ〜４０ｉの温度について説明する。
複数の領域４０ａ〜４０ｉには、筒状部３１の入口部３１ｂから出口部３１ｃに向かって、少なくとも、３つの以上の領域を有し、この３つ以上の領域には、下記（１）〜（３）の温度領域を含む。温度領域の定義は、プロセスが安定操業状態となった時の管である筒状部３１自身の温度を、筒状部３１の外面と接触・非接触で測定しての温度とする。
（１）マイナス温度領域と、（２）マイナス温度からプラス４０℃の範囲の温度領域と、（３）プラス２０℃以上の温度領域を少なくとも有する。
（１）のマイナス温度領域は、例えば−４０℃、−３０℃、−２０℃等のようにマイナスの温度領域のことをいう。
（２）の（１）のマイナス温度からプラス４０℃の範囲の温度領域は、（１）のマイナス温度領域のあるマイナス温度〜＋４０℃の範囲の温度領域のことをいい、例えば（１）のマイナス温度領域のある温度が、−４０℃の場合は、この−４０℃から＋４０℃になるため、（２）の温度領域は、−４０℃から０℃の温度領域となる。また、（１）のマイナス温度領域のある温度が、−２０℃の場合は、この−２０℃から＋４０℃の範囲となるため、（２）の温度領域は、−２０℃から２０℃の温度領域となる。
（３）のプラス２０℃以上の温度領域は、（２）の上限の温度が０℃の場合、０℃＋２０℃以上の温度領域のことをいう。
【００３８】
筒状部３１の入口部３１ｂから出口部３１ｃに向かって、複数の領域４０ａ〜４０ｉが、上記（１）〜（３）の少なくとも３つの領域を含み、凍結物又は乾燥物が、この（１）〜（３）の温度領域を含む複数の領域４０ａ〜４０ｉに対応する筒状部３１内の箇所を移送手段３１ａによって順次移送しながら、凍結物又は乾燥物は、昇華及び乾燥が連続的に行われる。
【００３９】
次に、筒状部３１について説明する。
筒状部３１は、材質がステンレスであることが好ましい。
【００４０】
筒状部３１は、複数の筒部３１Ａ〜３１Ｆを繋ぎ部３１Ｇ〜３１Ｋで接続することにより一つの筒形状を形成している。筒状部３１は、繋ぎ目を設けることなく、一つの筒形状で形成するようにしてもよい。筒部３１Ｂ、３１Ｃ、３１Ｄ、３１Ｅは、同一形状の筒部からなる。筒部３１Ａは、少し短い長さの筒部である。筒部３１Ｆは、先端に行くほど断面形状が小さくなるよう形成されている。繋ぎ部３１Ｇ〜３１Ｋは、隣り合う筒部が外れないように繋ぎ止める。
【００４１】
筒状部３１は、上述したように、筒状部３１の内壁近傍に入口部３１ｂから出口部３１ｃに向かって連続的に設けられる螺旋状の移送手段３１ａが設けられている。この移送手段３１ａは、筒状部３１の内周に壁部又は溝を設けることで、螺旋形状を形成することができる。また、螺旋形状の形成は、筒状部３１の内周にスクリューを埋入する方法も含む。
移送手段３１ａは、入口部３１ｂから入ってくる凍結物を、複数の領域４０ａ〜４０ｊの内側に位置する筒状部３１内を順次移送しながら、凍結物を連続的に昇華及び乾燥させて、昇華乾燥された乾燥物を出口部３１ｃに導く。
【００４２】
次に回転部の構成について説明する。
図３〜図６に示すように、回転部７は、モーター７１、プーリー７２、７３、ベルト７４、回転軸７５、７６及び、回転ローラー７７、７８を備えている。
モーター７１は、回転駆動源となる。プーリー７２、７３、ベルト７４及び回転軸７５、７６が回転駆動を伝達する回転駆動伝達部として機能する。回転ローラー７７、７８が、回転駆動伝達部による回転を支持する回転支持部である。なお、回転支持部は、回転ローラー７７、７８にベアリングを加えて構成することができ、回転ローラー７７に代えてベアリングによって構成することもできる。
【００４３】
プーリー７２及び７３には、ベルト７４が掛けられている。ベルト７４を介してモーター７１の回転力が伝達される。回転ローラー７７は、筒状部３１の両側の下方に配設されている。筒状部３１は、両側に配設されている回転ローラー７７上に載置されている。
プーリー７３は、回転軸７５の一方端付近に取り付けられている。プーリー７３の内側に、固定台に取り付けられた回転ローラー７８が設けられており、回転軸７５の他端にも同様に固定台に取り付けられた回転ローラー７８が設けられている。回転ローラー７８、７８の間には、８個の回転ローラー７７が回転軸７５に取り付けられている。
【００４４】
回転軸７６は、一方端には固定台に取り付けられた回転ローラー７８と、他方端にも固定台に取り付けられた回転ローラー７８とを有する。回転ローラー７８、７８の間には、８個の回転ローラー７７が回転軸７６に取り付けられている。回転軸７５に取り付けられた回転ローラー７７は駆動ローラーであり、回転軸７６に取り付けられた回転ローラー７７は従動ローラーである。
【００４５】
モーター７１が回転すると、ベルト７４を通じてプーリー７４が回転し、プーリー７４の回転によって、回転軸７５が回転し、回転軸７５に固定された回転ローラー７７が回転することで、筒状部３１が回転し、回転軸７６に取り付けられている従動ローラーとして回転ローラー７７が回転する。
次に、筒状部３１の回転速度について説明する。
筒状部３１は、回転部７によって、回転速度が毎分１／３０回転以上１回転以下の範囲で回転することが好ましい。
【００４６】
次に、温度検出部及び水分検出部について説明する。
図３及び図４に示すように、筒状部３１は、ガラス窓（窓部）３６が周方向に所定の間隔で連続して設けられており、このガラス窓３６は、筒状部３１の長手方向に複数個所（本実施形態では８か所）に設けられている。このガラス窓３６は、外部から内部の物質の状態を検知及び検出することができるようにするために設けられている。ガラス窓３６は、樹脂で形成することもできる。
【００４７】
筒状部３１のガラス窓３６が周方向設けられている下部には、検出部３７が設けられている。検出部３７は、少なくとも３種類を含み、筒状部３１の内部の物質の温度を検出する温度検出部と、筒状部３１の外表面（壁表面）の温度を検出する温度検出部と、筒状部３１の内部の物質の水分量を検出する水分検出部とを含む。
【００４８】
検出部３７が、筒状部３１の内部の物質の温度を検出する温度検出部として機能する場合、接触式又は非接触式で構成することができる。温度検出部として機能する検出部３７が、接触式の場合は、筒状部３１の表面温度を検出する。また、温度検出部として機能する検出部３７が、非接触式の場合は、筒状部３１のガラス窓３６を通じて筒状部３１の内部の物質の温度を検出する。
温度制御部８は、検出部３７が筒状部３１の表面温度又はガラス窓３６を通じて検出した筒状部３１の内部の物質の検出温度に応じて、調温手段３０ａ〜３０ｊの温度を独立して制御することができる。
【００４９】
また、検出部３７が、筒状部３１の内部の物質の水分量を検出する水分検出部として機能する場合、透明体のガラス窓３６を通して筒状部３１内の物質の水分量を検出することができる。温度制御部８は、検出部３７による筒状部内の物質の水分量に応じて、調温手段３０ａ〜３０ｊの温度を独立して制御することができる。
【００５０】
図９は、検出部が内部の物質の温度又は物質の水分量を検出する様子を示している。
図９に示すように、検出部３７が、筒状部３１の内部の物質の温度を検出する温度検出部と、筒状部３１の内部の物質の水分量を検出する水分検出部として機能する場合、筒状部３１の透明体のガラス窓３６を通じて、筒状部３１内部の物質Ｘの温度と、筒状部３１内部の物質の水分を検出することができる。
【００５１】
検出部３７は、筒状部３１の周方向に所定の間隔で設けられた各ガラス窓３６を通じで、それぞれのガラス窓３６を通じて、筒状部３１内部の物質Ｘの温度と、筒状部３１内部の物質の水分量を検出することができる。また、ガラス窓３６と検出部３７は、筒状部３１の長手方向の複数の位置に設けられているため、各筒状部１３内のそれぞれの位置で正確に物質の温度と水分量を検出することができる。
【００５２】
次に、移送手段３１ａについて説明する。
図７は、筒状部３１を構成するする複数の筒部３１Ａ〜３１Ｆのうち筒部３１Ｂを示している。図７（ａ）は図３に示す筒部３１Ｂの斜視図、（ｂ）は筒部３１Ｂの正面図、（ｃ）は筒部３１Ｂの側面図、（ｄ）は筒部３１Ｂの断面図、（ｅ）は（ｄ）のＢ部を拡大して示した図である。図８は、筒部３１Ｂの半体３１ＢＸを示す図である。
なお、図７及び図８では、図３の筒部３１Ｂにおいて、螺旋状の移送手段３１ａを中心にするため、ガラス窓３６については省略して示している。
図７及び図８に示すように、筒状部３１を構成する筒部３１Ｂは、筒状に構成されており、開口端の両側に半径方向に突出する縁部３１ｄが形成されている。隣あう筒部３１Ａ〜３１Ｆの縁部３１ｄ同士を固定することによって一つの筒状部３１が構成される。隣あう筒部３１Ａ〜３１Ｆの縁部３１ｄ同士は、ヘルールの接続、クランプやボルト締めにより固定する。
【００５３】
筒部３１Ｂには、螺旋状の移送手段３１ａの一部が一方の端部から他方の端部まで連続的に形成されている。
図７（ｅ）に示すように、筒部３１ＢＸの内壁に１周目の壁部３１ａ１、２周目の壁部３１ａ２ように、移送手段３１ａの一部として連続的に壁部が形成されることにより、筒部３１ＢＸ内に移送手段３１ａの一部を形成することができる。
壁部３１ａ１と壁部３１ａ２の高さは、移送手段３１ａの高さとなり、例えば３ｍｍ以上５０ｍｍ以下の範囲で構成することが好ましい。
壁部３１ａ１と壁部３１ａ２のピッチは、螺旋状の移送手段３１ａのピッチとなり、例えば５ｍｍ以上２０ｍｍ以下の範囲で構成することが好ましい。
図８では、筒部３１Ｂの半体３１ＢＸを示しており、筒部３１Ｂは、この半体３１ＢＸを二つ結合すると、一つの筒部３１Ｂを構成できる。筒部３１Ｂの半体３１ＢＸは、二つを結合したときに、筒部３１Ｂ内に螺旋状の移送手段３１ａの一部を形成することができる。
【００５４】
図１０は、実施形態に係る真空凍結乾燥装置の連結部の断面図である。
図１０に示すように、連結部４は、真空凍結装置２の収集部２２と、乾燥装置３の入口３１ｂ側の端部との間に設けられており、真空凍結装置２で生成した凍結物を乾燥装置３に搬送するためのものである。端部３０１付近には、連結部４によって搬送される凍結物を受け取る受取口３０２を有する。
連結部４は、内側管部４１と、外側管部４２と、内側管部４１内に設けられたスクリュー４３と、乾燥装置３の端部３０１から連結部４の内側管部４１と外側管部４２に延びる中間管部４４を有する。外側管部４２と中間管部４４との間には、乾燥装置３側から、ベアリング４５と、エアーシール４６とを備えている。
【００５５】
エアーシール４６は、回転軸に接触させずに流路からエアーを供給して回転軸をシールするものである。
【００５６】
図１１は、図７の筒部３１Ｂの半体３１ＢＸの他の例を示す図である。
図７及び図８に示した例では、筒部３１の内壁に壁部を形成して移送手段３１ａを形成するようにしたが、図１１に示すように、筒部３１の内壁に溝部１３１ａ１、１３１ａ２、…を形成することによって移送手段１３１ａを形成するようにしてもよい。
筒部３１Ｂは、半体１３１ＢＸを二つ結合すると、一つの筒部３１Ｂを構成できる。筒部３１Ｂの半体１３１ＢＸは、二つを結合したときに、螺旋状の移送手段１３１ａを構成する溝部は、連続するようにそれぞれ形成される。溝部１３１ａ１と溝部３１ａ２の深さは、移送手段１３１ａの深さとなり、例えば３ｍｍ以上５０ｍｍ以下の範囲で構成することが好ましい。溝部１３１ａ１と溝部１３１ａ２のピッチは、移送手段１３１ａのピッチとなり、例えば５ｍｍ以上２０ｍｍ以下の範囲で構成することが好ましい。
【００５７】
筒状部３１の内周面には、回転軸を中心とする移送手段１３１ａとして螺旋状の溝部を形成することで、筒状部３１内を螺旋送り作用が付与され、凍結物又は乾燥物を連続的に移送することができる。
【００５８】
本実施形態によれば、短時間で真空凍結乾燥を連続的に行うことができる真空凍結乾燥装置及び真空凍結乾燥方法を提供することができる。
【００５９】
本実施形態の真空凍結乾燥方法は、液を凍結させる真空凍結ステップと、凍結させた凍結物を昇華及び乾燥させる乾燥ステップと、排気経路を通じて真空吸引を行うステップと、を含み、乾燥ステップは、入口部３１ｂと出口部３１ｃとを備え、筒形状を有する筒状部３１であって、筒状部３１の内壁近傍に入口部３１ｄから出口部３１ｃに向かって連続的に設けられる螺旋状の移送手段３１ａを有する筒状部３１を回転させステップと、筒状部３１の周辺部の入口部３１ｂから出口部３１ｃに向かって形成される温度の制御が可能な少なくとも３か所以上の複数の領域４０ａ〜４０ｉの温度を調温するステップと、入口部３１ｂから入る凍結物を、筒状部３１内の複数の領域３０ａ〜３０ｉに対応する箇所を移送手段３１ａによって順次移送しながら凍結物を連続的に昇華及び乾燥させるステップとを含む。
【００６０】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００６１】
１  真空凍結乾燥装置
２  真空凍結装置
３  乾燥装置
６  クリーンエアー
７  回転部
８  温度制御部
３０ａ〜３０ｉ  調温手段
３１  筒状部
３１ａ  螺旋状の移送手段
３６  ガラス窓（窓部）
３７  検出部（温度検出部、水分検出部）
４０ａ〜４０ｉ
４６  エアーシール
【要約】
【課題】短時間で真空凍結乾燥を連続的に行うことができる真空凍結乾燥装置を提供する。
【解決手段】本発明の真空凍結乾燥装置１であって、真空吸引を行う排気経路を有し、乾燥装置３は、入口部と出口部とを備え、筒形状を有する筒状部３１と、筒状部３１の周辺部の入口部から出口部に向かって形成される温度の制御が可能な少なくとも３か所以上の複数の領域に設けられ、筒状部の外面の複数の領域４０ａ〜４０ｉの温度を調温する調温手段３０ａ〜３０ｉと、調温手段を独立して温度制御する温度制御部８と、筒状部３１を回転させるための回転部７と、を備え、筒状部３１は、筒状部の内壁近傍に入口部から出口部に向かって連続的に設けられる螺旋状の移送手段３１ａを有し、移送手段３１ａは、凍結物を、筒状部内の複数の領域に対応する箇所を移送手段によって順次移送しながら連続的に昇華及び乾燥させる。
【選択図】図１【図１】
0006777350.tif 000002
【図２】
0006777350.tif 000003
【図３】
0006777350.tif 000004
【図４】
0006777350.tif 000005
【図５】
0006777350.tif 000006
【図６】
0006777350.tif 000007
【図７】
0006777350.tif 000008
【図８】
0006777350.tif 000009
【図９】
0006777350.tif 000010
【図１０】
0006777350.tif 000011
【図１１】
0006777350.tif 000012